【手続補正書】
【提出日】平成18年12月5日(2006.12.5)
【手続補正１】
【補正対象書類名】明細書
【補正対象項目名】発明の名称
【補正方法】変更
【補正の内容】
【発明の名称】モータ及び冷凍機
【手続補正２】
【補正対象書類名】明細書
【補正対象項目名】特許請求の範囲
【補正方法】変更
【補正の内容】
【特許請求の範囲】
【請求項１】  アルミ線に熱可塑性絶縁テープを巻き回すか又は熱可塑性絶縁樹脂を押し出した熱可塑性絶縁電線と、該絶縁電線を巻き回して成形された固定子コイルとを具備し、該コイルを固定子鉄心のスロットに挿入後、熱処理して構成したことを特徴とするモータ。
【請求項２】  前記熱処理は、
前記コイルが、スロット絶縁、相間絶縁に用いる絶縁材やコイル緊縛材等のコイルを形成する絶縁に係わる副資材を有し、
該副資材を前記絶縁電線の熱可塑性絶縁材料と同一又はこれに近似の融点を有する熱可塑性材料を用いて構成し、
さらに前記絶縁電線の熱可塑性絶縁材料及び前記副資材の熱可塑性絶縁材料と同一又はこれより低い融点を有する熱可塑性絶縁材料の懸濁液を塗布或いは浸漬して加熱することで、懸濁液に使用した熱可塑性絶縁材料で熱可塑性絶縁電線と前記副資材とを熱融着して一体化したことであることを特徴とする請求項１記載のモータ。
【請求項３】  前記熱可塑性絶縁電線と副資材と懸濁液を構成する各熱可塑性絶縁材料の材質は、ポリテトラフロロエチレン、ポリテトラフロロアルコキシレジン、フロリネイティドエチレンプロピレンコーポリマー、エチレンテトラフロロエチレンコーポリマー、又はポリクロロトリフロロエチレンコーポリマーの内の何れかであり、且つ前記懸濁液を構成する熱可塑性絶縁材料の材質は、前記熱可塑性絶縁電線を構成する熱可塑性絶縁材料の材質及び絶縁に係わる副資材を構成する熱可塑性絶縁材料の材質よりも融点の低い材質で構成されていることを特徴とする請求項２記載のモータ。
【請求項４】  凝縮器、膨張弁、蒸発器、圧縮機を具備し、これらを冷媒通路で接続し、前記圧縮機のケーシング内に収容したモータの部分に前記冷媒を通すことで前記モータを冷却する構造の冷凍機において、
前記圧縮機を駆動するモータとして請求項１記載のモータを用いたことを特徴とする冷凍機。
【手続補正３】
【補正対象書類名】明細書
【補正対象項目名】０００１
【補正方法】変更
【補正の内容】
【０００１】
【発明の属する技術分野】
本発明は、高温や高圧力や高湿度の環境下、又は放射線、化学薬品等の充満する特殊な雰囲気下、即ち通常の大気雰囲気とは異なる特殊環境下で使用される電機機器のコイル絶縁、特にモータコイル等の電機コイル絶縁に用いて好適な熱可塑性材料絶縁電機コイルを用いたモータ及び冷凍機に関するものである。
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】変更
【補正の内容】
【０００３】
【従来の技術】
従来、凝縮機、膨張弁、蒸発器及び半密閉形スクリュー圧縮機を具備し、これらを冷媒通路で接続した構成の半密閉形スクリュー冷凍機は、半密閉形スクリュー圧縮機を駆動するモータに冷媒ガスを通してモータを冷却した後にこの冷媒ガスを半密閉形スクリュー圧縮機に供給するように構成しているため、該吸込冷媒ガスはモータの発熱部及びこの外周に設けられた長い冷媒通路を通過するので、その圧力損失により比体積が増大し、冷凍サイクルの冷媒循環流量を減少させ冷却能力が落ちるという欠点があった。
【手続補正６】
【補正対象書類名】明細書
【補正対象項目名】００１０
【補正方法】変更
【補正の内容】
【００１０】
【発明が解決しようとする課題】
本発明は上述の点に鑑みてなされたものであり、特殊環境下でもキャンレス構造で使用可能で、且つ製造作業性にも優れたコイルを用いたモータ及び冷凍機を提供することを目的とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
【課題を解決するための手段】
上記問題点を解決するため本発明は、アルミ線に熱可塑性絶縁テープを巻き回すか又は熱可塑性絶縁樹脂を押し出した熱可塑性絶縁電線と、該絶縁電線を巻き回して成形された固定子コイルとを具備し、該コイルを固定子鉄心のスロットに挿入後、熱処理して構成したことを特徴とするモータにある。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
なお前記熱処理は、前記コイルが、コイルを鉄心スロットから保護するスロット絶縁、コイル各相の相間に用いられる相間絶縁（さらに型巻きコイルにおいてはコイル内部の層間に用いられる層間絶縁、コイルと耐地の耐地絶縁）に用いる絶縁材やコイル緊縛材等のコイルを形成する絶縁に係わる副資材を有し、該副資材を前記絶縁電線の熱可塑性絶縁材料と同一又はこれに近似の融点を有する熱可塑性材料を用いて構成し、さらに前記絶縁電線の熱可塑性絶縁材料及び前記副資材の熱可塑性絶縁材料と同一又はこれより低い融点を有する熱可塑性絶縁材料の懸濁液を塗布或いは浸漬して加熱することで、懸濁液に使用した熱可塑性絶縁材料で熱可塑性絶縁電線と前記副資材とを熱融着して一体化することによって行う。
【手続補正１２】
【補正対象書類名】明細書
【補正対象項目名】００５０
【補正方法】変更
【補正の内容】
【００５０】
また本発明に係る熱可塑性材料絶縁電機コイルが、冷凍機以外の他の各種機器に使用できることは言うまでもない。例えば、自噴力が弱いために未使用となっている高温の地熱水を高温・高圧力のまま水中ポンプ方式で汲み上げて発電に利用するダウンホールポンプ（ＤＨＰ）用モータ等の他のモータにも適用できる。
以上説明したように、モータを密閉的に収容する空間をスクリューロータの歯溝空間に連結する第２の冷媒通路を通る冷媒の温度を検出するガス温度センサの検出値により、モータを密閉的に収容する空間に過冷却熱交換器にて吸熱して冷媒を導入する第１の冷媒通路の流量制御機構を制御し、第１の冷媒通路を通る冷媒の流量を制御するので、（１）モータの良好な冷却を維持でき、半密閉形スクリュー冷凍機の起動時に凝縮器の冷水温度が極端に高い場合や、蒸発器内に着氷が生じた場合に解氷を行うホットガスバイパス回路のホットガスバイパス回路用電磁弁がハンチングを起こした場合や、更に供給電源のアンバランスが生じた場合にもモータの劣化や、損傷を起こさず、（２）また半密閉形スクリュー圧縮機のケーシング内にはモータを密閉的に収容する空間を備えたので、モータに吸込冷媒ガスを抵触することなく、モータの発熱及び圧力損失により比体積は増大せず、冷却能力が低下しない。
【手続補正１３】
【補正対象書類名】明細書
【補正対象項目名】００５１
【補正方法】変更
【補正の内容】
【００５１】
【発明の効果】
以上説明したように本発明によれば、アルミ線に熱可塑性絶縁テープを巻き回すか又は熱可塑性絶縁樹脂を押し出した絶縁電線と、該絶縁電線を巻き回して成形された固定子コイルとを具備し、コイルを固定子鉄心のスロットに挿入後、熱処理したものを用いたので、特殊環境下でもキャンレス構造で使用可能で、且つ製造作業性にも優れる。
【手続補正１４】
【補正対象書類名】明細書
【補正対象項目名】００５２
【補正方法】削除
【補正の内容】